(57)【要約】【課題】  言語化しにくく、移ろいやすい撮影者の気分を適切に抽出できる撮影装置を提供することを目的とする。【解決手段】    撮影装置３は、タッチパネル３０８に、互いに気分画像が異なる複数のシャッターアイコン９００を表示し、ユーザのシャッターアイコン９００の選択に基づき、画像を撮影することで、気分画像に対応する気分情報と、撮影された画像データとを互いに関連付ける。また、撮影装置３は、複数の撮影モードを有し、ユーザにより選択された撮影モードに応じて、シャッターアイコン９００の配列又は表示順序を変更する。【選択図】図６
2017092528.tif 000002
【特許請求の範囲】
【請求項１】
撮影部と、
互いに異なる気分を表わす複数の画像要素を表示する表示部と、
前記表示部により表示された画像要素の中から、ユーザの選択操作を受け付ける選択受付部と、
ユーザの操作に応じて、前記撮影部に画像を撮影させる撮影指示部と、
前記撮影指示部が画像を撮影させたタイミングを基準として既定の期間内に、前記選択受付部により画像要素の選択操作を受け付けた場合に、選択された画像要素に関連付けられた気分を表わす気分情報と、前記撮影部により撮影された画像データとを互いに関連付ける関連付け部と
を有する撮影装置。
【請求項２】
前記撮影部は、複数の撮影モードを有し、
前記表示部は、ユーザにより選択された撮影モードに応じて、気分を表わす画像要素の配列又は表示順序を変更する
請求項１に記載の撮影装置。
【請求項３】
前記撮影部は、前記撮影指示部によりユーザの操作を受け付ける部分と同じ面に設けられたカメラで撮影するフロントカメラ撮影モードと、ユーザの操作を受け付ける部分の裏面に設けられたカメラで撮影するバックカメラ撮影モードとを有し、
前記表示部は、フロントカメラ撮影モードが選択された場合に、撮影者自身に対する心情に関連する画像要素を表示し、バックカメラ撮影モードが選択された場合に、被写体に対する撮影者の心情に関連する画像要素を表示する
請求項２に記載の撮影装置。
【請求項４】
筐体の位置、筐体にかかる加速度、又は、筐体の傾きを検知するセンサ
をさらに有し、
前記表示部は、前記センサの出力値に応じて、表示させる画像要素の配列又は表示順序を変更する
請求項２に記載の撮影装置。
【請求項５】
前記撮影部は、前記撮影指示部によりユーザの操作を受け付ける部分と同じ面に設けられたカメラで撮影するフロントカメラ撮影モードと、ユーザの操作を受け付ける部分の裏面に設けられたカメラで撮影するバックカメラ撮影モードとを有し、
前記表示部は、フロントカメラ撮影モードが選択された場合に、前記センサにより検知された筐体の傾きに応じて、自撮りする女性の心情に関連する画像要素を表示し、バックカメラ撮影モードが選択された場合に、前記センサにより検知された筐体の傾きに応じて、風景を撮影するときの心情に関連する画像要素を表示する
請求項４に記載の撮影装置。
【請求項６】
前記関連付け部により画像データに関連付けられた気分情報に応じて、この画像データに付加する付加情報（気温、天気、位置など）の種類を選択する付加情報選択部と、
撮影された画像データと、前記関連付け部により関連付けられた気分情報と、前記付加情報選択部により選択された種類の付加情報とを互いに関連付けて画像データベースに登録する登録部と
をさらに有する請求項４に記載の撮影装置。
【請求項７】
前記登録部により登録された画像データを閲覧する場合に、関連付けられた気分情報に対応する背景デザイン、フレーム枠又は画像エフェクトを用いて、画像データを表示する画像提供部
をさらに有する撮影装置。
【請求項８】
気分を表わす画像要素がシャッターアイコンであり、
前記表示部は、複数のシャッターアイコンを表示し、
前記撮影指示部は、表示されたいずれかのシャッターアイコンに対する操作に応じて、前記撮影部に撮影させ、
前記関連付け部は、撮影時にユーザが操作したシャッターアイコンに対応する気分情報を、撮影された画像データに関連付ける
請求項１に記載の撮影装置。
【請求項９】
前記表示部は、撮影時の環境（天気、時間帯、日付、季節等）を示す環境データに応じて、気分を表わすシャッターアイコンの配列又は表示順序を変更する
請求項８に記載の撮影装置。
【請求項１０】
撮影部と、
前記撮影部に対して撮影を指示するためのシャッターアイコンを複数配列して表示する表示部と、
前記表示部により表示されたシャッターアイコンのいずれかに対するユーザの操作に応じて、前記撮影部に画像を撮影させる撮影指示部と
を有し、
操作されたシャッターアイコンによって、前記撮影部の撮影処理、前記撮影部により撮影された画像データに付加される付加情報、又は、前記撮影部により撮影された画像データに対する画像処理が異なる
撮影装置。
【請求項１１】
互いに異なる気分を表わす複数の画像要素を表示する表示ステップと、
前記表示ステップで表示された画像要素の中から、ユーザの選択操作を受け付ける選択受付ステップと、
ユーザの操作に応じて、カメラに画像を撮影させる撮影指示ステップと、
前記カメラが画像を撮影したタイミングを基準として既定の期間内に、前記選択受付ステップにより画像要素の選択操作を受け付けた場合に、選択された画像要素に関連付けられた気分を表わす気分情報と、前記カメラにより撮影された画像データとを互いに関連付ける関連付けステップと
を有する撮影方法。
【請求項１２】
撮影装置と、この撮影装置により撮影された画像を管理する画像管理装置とを含む画像管理システムであって、
前記撮影装置は、
撮影部と、
互いに異なる気分を表わす複数の画像要素を表示する表示部と、
前記表示部により表示された画像要素の中から、ユーザの選択操作を受け付ける選択受付部と、
ユーザの操作に応じて、前記撮影部に画像を撮影させる撮影指示部と、
前記撮影指示部が画像を撮影させたタイミングを基準として既定の期間内に、前記選択受付部により画像要素の選択操作を受け付けた場合に、選択された画像要素に関連付けられた気分を表わす気分情報と、前記撮影部により撮影された画像データとを互いに関連付ける関連付け部と
を有し、
前記画像管理装置は、
撮影された画像データを、前記関連付け部により関連付けられた気分情報に関連付けて格納する画像データベースと、
要求に応じて、撮影された画像データと、この画像データに関連付けられた気分情報とを関連付けた状態で提供する画像提供部と
を有する
画像管理システム。
【請求項１３】
互いに異なる気分を表わす複数の画像要素を表示する表示ステップと、
前記表示ステップで表示された画像要素の中から、ユーザの選択操作を受け付ける選択受付ステップと、
ユーザの操作に応じて、カメラに画像を撮影させる撮影指示ステップと、
前記カメラが画像を撮影したタイミングを基準として既定の期間内に、前記選択受付ステップにより画像要素の選択操作を受け付けた場合に、選択された画像要素に関連付けられた気分を表わす気分情報と、前記カメラにより撮影された画像データとを互いに関連付ける関連付けステップと
をコンピュータに実行させるプログラム。
【発明の詳細な説明】
【技術分野】
【０００１】
本発明は、撮影装置、撮影方法、画像管理システム、及びプログラムに関する。
【背景技術】
【０００２】
例えば、特許文献１には、被写体を撮像する撮像装置において、前記被写体を撮影するとき、撮影者の感情を検出する感情検出手段と、前記感情検出手段が検出した前記感情を、撮像した画像に反映する処理を行う感情反映手段とを備えたことを特徴とする撮像装置が開示されている。
【０００３】
また、特許文献２には、端末と、この端末と直接又は通信端末を介して接続されるサーバーとを含むソーシャル・ネットワーク・サービスシステムにおいて、前記端末は、感情情報を取得する感情情報取得手段と、前記感情情報取得手段により取得された感情情報を前記サーバーに送信する送信手段と、を備え、前記サーバーは、前記感情情報を受信する受信手段と、前記受信手段により受信した感情情報を基に感情を表すオブジェクトを含むタイムラインを作成するタイムライン作成手段と、前記タイムライン作成手段により作成したタイムラインを閲覧可能にする表示制御手段と、を備えることを特徴とするソーシャル・ネットワーク・サービスシステムが開示されている。
【先行技術文献】
【特許文献】
【０００４】
【特許文献１】特開２００５−２５０９７７
【特許文献２】特開２０１５−２８６８６
【発明の概要】
【発明が解決しようとする課題】
【０００５】
言語化しにくく、移ろいやすい撮影者の気分を適切に抽出できる撮影装置を提供することを目的とする。
【課題を解決するための手段】
【０００６】
本発明に係る撮影装置は、撮影部と、互いに異なる気分を表わす複数の画像要素を表示する表示部と、前記表示部により表示された画像要素の中から、ユーザの選択操作を受け付ける選択受付部と、ユーザの操作に応じて、前記撮影部に画像を撮影させる撮影指示部と、前記撮影指示部が画像を撮影させたタイミングを基準として既定の期間内に、前記選択受付部により画像要素の選択操作を受け付けた場合に、選択された画像要素に関連付けられた気分を表わす気分情報と、前記撮影部により撮影された画像データとを互いに関連付ける関連付け部とを有する。
【０００７】
好適には、前記撮影部は、複数の撮影モードを有し、前記表示部は、ユーザにより選択された撮影モードに応じて、気分を表わす画像要素の配列又は表示順序を変更する。
【０００８】
好適には、前記撮影部は、前記撮影指示部によりユーザの操作を受け付ける部分と同じ面に設けられたカメラで撮影するフロントカメラ撮影モードと、ユーザの操作を受け付ける部分の裏面に設けられたカメラで撮影するバックカメラ撮影モードとを有し、前記表示部は、フロントカメラ撮影モードが選択された場合に、撮影者自身に対する心情に関連する画像要素を表示し、バックカメラ撮影モードが選択された場合に、被写体に対する撮影者の心情に関連する画像要素を表示する。
【０００９】
好適には、筐体の位置、筐体にかかる加速度、又は、筐体の傾きを検知するセンサをさらに有し、前記表示部は、前記センサの出力値に応じて、表示させる画像要素の配列又は表示順序を変更する。
【００１０】
好適には、前記撮影部は、前記撮影指示部によりユーザの操作を受け付ける部分と同じ面に設けられたカメラで撮影するフロントカメラ撮影モードと、ユーザの操作を受け付ける部分の裏面に設けられたカメラで撮影するバックカメラ撮影モードとを有し、前記表示部は、フロントカメラ撮影モードが選択された場合に、前記センサにより検知された筐体の傾きに応じて、自撮りする女性の心情に関連する画像要素を表示し、バックカメラ撮影モードが選択された場合に、前記センサにより検知された筐体の傾きに応じて、風景を撮影するときの心情に関連する画像要素を表示する。
【００１１】
好適には、前記関連付け部により画像データに関連付けられた気分情報に応じて、この画像データに付加する付加情報（気温、天気、位置など）の種類を選択する付加情報選択部と、撮影された画像データと、前記関連付け部により関連付けられた気分情報と、前記付加情報選択部により選択された種類の付加情報とを互いに関連付けて画像データベースに登録する登録部とをさらに有する。
【００１２】
好適には、前記撮影装置は、前記登録部により登録された画像データを閲覧する場合に、関連付けられた気分情報に対応する背景デザイン、フレーム枠又は画像エフェクトを用いて、画像データを表示する画像提供部をさらに有する。
【００１３】
好適には、気分を表わす画像要素がシャッターアイコンであり、前記表示部は、複数のシャッターアイコンを表示し、前記撮影指示部は、表示されたいずれかのシャッターアイコンに対する操作に応じて、前記撮影部に撮影させ、前記関連付け部は、撮影時にユーザが操作したシャッターアイコンに対応する気分情報を、撮影された画像データに関連付ける。
【００１４】
好適には、前記表示部は、撮影時の環境（天気、時間帯、日付、季節等）を示す環境データに応じて、気分を表わすシャッターアイコンの配列又は表示順序を変更する。
【００１５】
本発明に係る撮影装置は、撮影部と、前記撮影部に対して撮影を指示するためのシャッターアイコンを複数配列して表示する表示部と、前記表示部により表示されたシャッターアイコンのいずれかに対するユーザの操作に応じて、前記撮影部に画像を撮影させる撮影指示部とを有し、操作されたシャッターアイコンによって、前記撮影部の撮影処理、前記撮影部により撮影された画像データに付加される付加情報、又は、前記撮影部により撮影された画像データに対する画像処理が異なる。
【００１６】
本発明に係る撮影方法は、互いに異なる気分を表わす複数の画像要素を表示する表示ステップと、前記表示ステップで表示された画像要素の中から、ユーザの選択操作を受け付ける選択受付ステップと、ユーザの操作に応じて、カメラに画像を撮影させる撮影指示ステップと、前記カメラが画像を撮影したタイミングを基準として既定の期間内に、前記選択受付ステップにより画像要素の選択操作を受け付けた場合に、選択された画像要素に関連付けられた気分を表わす気分情報と、前記カメラにより撮影された画像データとを互いに関連付ける関連付けステップとを有する。
【００１７】
本発明に係る画像管理システムは、撮影装置と、この撮影装置により撮影された画像を管理する画像管理装置とを含む画像管理システムであって、前記撮影装置は、撮影部と、互いに異なる気分を表わす複数の画像要素を表示する表示部と、前記表示部により表示された画像要素の中から、ユーザの選択操作を受け付ける選択受付部と、ユーザの操作に応じて、前記撮影部に画像を撮影させる撮影指示部と、前記撮影指示部が画像を撮影させたタイミングを基準として既定の期間内に、前記選択受付部により画像要素の選択操作を受け付けた場合に、選択された画像要素に関連付けられた気分を表わす気分情報と、前記撮影部により撮影された画像データとを互いに関連付ける関連付け部とを有し、前記画像管理装置は、撮影された画像データを、前記関連付け部により関連付けられた気分情報に関連付けて格納する画像データベースと、要求に応じて、撮影された画像データと、この画像データに関連付けられた気分情報とを関連付けた状態で提供する画像提供部とを有する。
【００１８】
本発明に係るプログラムは、互いに異なる気分を表わす複数の画像要素を表示する表示ステップと、前記表示ステップで表示された画像要素の中から、ユーザの選択操作を受け付ける選択受付ステップと、ユーザの操作に応じて、カメラに画像を撮影させる撮影指示ステップと、前記カメラが画像を撮影したタイミングを基準として既定の期間内に、前記選択受付ステップにより画像要素の選択操作を受け付けた場合に、選択された画像要素に関連付けられた気分を表わす気分情報と、前記カメラにより撮影された画像データとを互いに関連付ける関連付けステップとをコンピュータに実行させる。
【発明の効果】
【００１９】
言語化しにくく、移ろいやすい撮影者の気分をより適切に抽出し、撮影画像に関連付けることができる。
【図面の簡単な説明】
【００２０】
【図１】画像管理システム１のハードウェア構成を例示する図である。
【図２】撮影装置３のハードウェア構成を例示する図である。
【図３】撮影装置３の機能構成を例示する図である。
【図４】画像管理サーバ４のハードウェア構成を例示する図である。
【図５】画像管理サーバ４の機能構成を例示する図である。
【図６】気分情報と撮影された画像データとの関連付けを模式的に表す図である。
【図７】撮影モードによるシャッターアイコン９００の表示順序の変更を例示する図である。
【図８】撮影時の環境等によるシャッターアイコン９００の表示順序の変更を例示する図である。
【図９】シャッターアイコン９００による付加情報の変更を例示する図である。
【図１０】画像を撮影する画像撮影処理（Ｓ１０）のフローチャートである。
【図１１】画像データを格納する画像格納処理（Ｓ２０）のフローチャートである。
【図１２】気分情報と関連付けられた画像データを表示する画像表示処理（Ｓ３０）のフローチャートである。
【図１３】撮影装置３の要求に応じて画像を提供する画像提供処理（Ｓ４０）のフローチャートである。
【発明を実施するための形態】
【００２１】
以下、本発明の実施形態を、図面を参照して説明する。
図１は、画像管理システム１のハードウェア構成を例示する図である。
図１に例示するように、画像管理システム１は、撮影装置３と、画像管理サーバ４とを含む。本例の画像管理システム1は、さらに画像の閲覧、及び編集を行うための固定端末２を含んでもよい。ここで、画像とは、静止画像及び動画像を含む概念である。本例において、画像が、静止画像である場合を具体例として説明する。
固定端末２は、コンピュータ端末である。本例では、固定端末２は、ユーザの固定端末２の操作により、画像管理サーバ４に格納された、気分情報に関連付けられた画像データを表示する。ここで、気分情報として、気分を表わす画像、又は、気分を表わす文字列がある。本例では、気分情報として、気分を表わす画像（気分画像）が用いられる形態を具体例として説明する。
撮影装置３は、少なくとも撮影機能を有する携帯型のコンピュータ端末である。例えば、撮影装置３は、スマートフォン（撮影装置３Ａ）、カメラ（撮影装置３Ｂ）である。本例において、撮影装置３をスマートフォン３として説明する。
本例において、スマートフォン３は、フロントカメラ３１０を有する。フロントカメラとは、ユーザの操作を受け付ける部分と同じ面に設けられたカメラである。また、スマートフォン３は、バックカメラ３１１（図示省略）を有する。バックカメラとは、ユーザの操作を受け付ける部分の裏面に設けられたカメラである。  
【００２２】
図２は、撮影装置３のハードウェア構成を例示する図である。
図２に例示するように、撮影装置３は、Ｃｅｎｔｒａｌ  Ｐｒｏｃｅｓｓｉｎｇ  Ｕｎｉｔ３００（ＣＰＵ３００）、揮発性メモリ３０２、不揮発性メモリ３０４、ネットワークインタフェース３０６（ネットワークＩＦ３０６）、タッチパネル３０８、フロントカメラ３１０、バックカメラ３１１、位置特定装置３１２、音声入出力装置３１４、及び加速度センサ３１５を有し、これらの構成はバス３１６を介して互いに接続している。
ＣＰＵ３００は、例えば、中央演算装置である。
揮発性メモリ３０２は、例えば、主記憶装置として機能する。
不揮発性メモリ３０４は、例えば、不揮発性の記録装置としてコンピュータプログラムやその他のデータファイルを格納する。
ネットワークＩＦ３０６は、無線で通信するためのインタフェースであり、電話回線又はインターネットを介した作成支援サーバ４との通信を実現する。
タッチパネル３０８は、例えば、表示装置及び入力装置として機能するディスプレイである。
フロントカメラ３１０及び、バックカメラ３１１は、例えば、撮影装置３に内蔵されたカメラである。なお、フロントカメラ３１０及び、バックカメラ３１１は、ＵＳＢ（Ｕｎｉｖｅｒｓａｌ  Ｓｅｒｉａｌ  Ｂｕｓ）ケーブルなどにより外部接続されたカメラであってもよい。
位置特定装置３１２は、例えば、ＧＰＳ（Ｇｌｏｂａｌ  Ｐｏｓｉｔｉｏｎｉｎｇ  Ｓｙｓｔｅｍ）信号を受信し、受信した信号に基づいて現在位置を特定する装置である。
音声入出力装置３１４は、例えば、マイク及びスピーカを含み、音声の入力及び出力を実現する。
加速度センサ３１５は、撮影装置３の加速度を検知するセンサーである。
【００２３】
図３は、撮影装置３の機能構成を例示する図である。
図３に例示するように、撮影装置３には、画像撮影プログラム３５０がインストールされている。画像撮影プログラム３５０は、撮影部３５２、気分候補決定部３５４、表示部３５６、選択受付部３５８、撮影指示部３６０、関連付け部３６２、付加情報選択部３６４、登録部３６６、及び画像提供部３６８を有する。なお、本プログラムの一部又は全部は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハードウェアによって実現されてもよく、また、ＯＳ（Ｏｐｅｒａｔｉｎｇ Ｓｙｓｔｅｍ）の機能を一部借用して実現されてもよい。
【００２４】
画像撮影プログラム３５０において、撮影部３５２は、フロントカメラ３１０、又は、バックカメラ３１１を制御して、画像の撮影を行う。
例えば、撮影部３５２は、複数の撮影モードを有する。
本例の撮影部３５２は、フロントカメラ３１０で撮影するフロントカメラ撮影モードと、バックカメラ３１１で撮影するバックカメラ撮影モードとを有する。
【００２５】
気分候補決定部３５４は、気分を表わす複数の画像要素のうち、表示させるものを決定する。
例えば、気分候補決定部３５４は、ユーザにより選択された撮影モードと、撮影装置３が存在する環境を示す環境データと、撮影装置３に備えられたセンサの出力値との少なくとも１つに応じて、複数の画像要素のうち表示させるものを決定する。ここで、環境データは、撮影時の環境（天気、時間帯、日付、季節等）を示す。また、天気、時間帯、日付、季節等は、ネットワークＩＦ３０６経由でインターネットなどから取得する。また、センサとは、例えば位置特定装置３１２により実現される位置センサや、加速度センサ３１５により実現される加速度センサである。
より具体的に、気分候補決定部３５４は、フロントカメラ撮影モードが選択された場合に、撮影者自身に対する心情に関連する画像要素を決定し、バックカメラ撮影モードが選択された場合に、被写体に対する撮影者の心情に関連する画像要素のうち表示させるものを決定する。
本例において、画像要素として、シャッターアイコン９００を用いる。ここで、シャッターアイコン９００は、気分を表わす画像要素（気分画像）が表示され、かつ、シャッターとして機能する操作エリアからなる。具体的には、図６に例示されるように、互いに気分画像が異なるシャッターアイコン９００が、タッチパネル３０８上に複数表示される。また、本例において、気分候補決定部３５４は、シャッターアイコン９００の優先順位を決定する。
【００２６】
また、気分候補決定部３５４は、撮影装置３の筐体の位置、筐体にかかる加速度、又は、筐体の傾きを検知するセンサの出力値に応じて、複数の画像要素のうち表示させるものを決定する。
例えば、気分候補決定部３５４は、フロントカメラ撮影モードが選択された場合に、センサにより検知されたスマートフォン３の筐体の傾きに応じて、自撮りする女性の心情に関連するシャッターアイコン９００を優先的に選択し、バックカメラ撮影モードが選択された場合に、センサにより検知された筐体の傾きに応じて、風景を撮影するときの心情に関連するシャッターアイコン９００を優先的に選択する。
より具体的に、気分候補決定部３５４は、フロントカメラ撮影モード、かつ、筐体の上部がユーザ方向に傾いているとき、自撮りする女性の心情に関連するシャッターアイコン９００を優先的に選択する。また、気分候補決定部３５４は、フロントカメラ撮影モード、かつ、筐体に傾きがないとき、風景を撮影するときの心情に関連するシャッターアイコン９００を優先的に選択する。
【００２７】
表示部３５６は、互いに異なる複数の画像要素を表示する。
例えば、表示部３５６は、気分候補決定部３５４により決定された優先順位に従って、シャッターアイコン９００を表示する。
本例の表示部３５６は、撮影モード、環境データ、センサの出力値に応じて、シャッターアイコン９００を表示する。シャッターアイコン９００は、優先順位の高い順（優先順位１〜４）に、タッチパネル３０８に表示される。なお、画像の解像度に応じて、表示部３５６は、表示するシャッターアイコン９００の数を増減させてもよい。
表示部３５６は、ユーザの気分に合致したシャッターアイコン９００が、タッチパネル３０８に表示されないとき、ユーザのスワイプ操作に応じて、次の優先順位（優先順位５〜８）のシャッターアイコン９００を表示する。
これにより、表示部３５６は、ユーザの気分に合致したシャッターアイコン９００を表示する。
【００２８】
選択受付部３５８は、表示部３５６により表示された画像要素の中から、ユーザの選択操作を受け付ける。
本例の選択受付部３５８は、ユーザによるシャッターアイコン９００の選択を検知する。
【００２９】
撮影指示部３６０は、選択受付部３５８によるシャッターアイコン９００の受付に従って、撮影部３５２に画像を撮影させる。
例えば、撮影指示部３６０は、表示されたいずれかのシャッターアイコン９００に対する操作に応じて、撮影部３５２に画像を撮影させる。より具体的に、操作されたシャッターアイコン９００によって、撮影部３５２の撮影処理が異なる。
【００３０】
関連付け部３６２は、撮影指示部３６０が画像を撮影させたタイミングを基準として既定の期間内に、選択受付部３５８により画像要素の選択操作を受け付けた場合に、選択された画像要素に関連付けられた気分情報と、撮影部３５２により撮影された画像データとを互いに関連付ける。
本例の関連付け部３６２は、選択受付部３５８により検知されたシャッターアイコン９００に応じて、撮影された画像データと、選択されたシャッターアイコン９００の気分画像に対応する気分情報とを関連付ける。また、関連付け部３６２は、画像データと選択された気分情報とのつながりを示す関連付け情報を生成する。
【００３１】
付加情報選択部３６４は、関連付け部３６２により画像データに関連付けられた気分情報に応じて、この画像データに付加する付加情報（気温、天気、位置など）の種類を選択する。ここで、付加情報の種類とは、画像撮影に関連する情報の種類であり、例えば、撮影時の気温、撮影時の天気、撮影場所の位置データなどである。また、気温、天気は、時間、  位置情報を元にネットワークＩＦ３０６経由でインターネットなどから取得し、位置情報は、位置特定装置３１２などにより取得される。
例えば、付加情報選択部３６４は、操作されたシャッターアイコン９００によって、撮影部３５２により撮影された画像データに付加される付加情報を変更する。
本例の付加情報選択部３６４は、選択されたシャッターアイコン９００に応じて、付加する気温情報の精度、桁数や、天気の表現方法を変更する。また、付加情報選択部３６４は、画像データと選択された気分情報と付加情報とのつながりを示す関連付け情報を生成する。
これにより、撮影された写真の気分情報を更に強化できる。
【００３２】
登録部３６６は、撮影された画像データと、関連付け部３６２により関連付けられた気分情報と、付加情報選択部３６４により選択された種類の付加情報とを互いに関連付けて画像データベースに登録する。
本例の登録部３６６は、撮影された画像データ、関連付けられた気分情報、選択された種類の付加情報、及び関連情報を、画像管理サーバ４に送信し、データベースに登録する。
【００３３】
画像提供部３６８は、登録部３６６により登録された画像データを閲覧する場合に、画像データを表示する。
例えば、画像提供部３６８は、関連付けられた気分情報に対応する背景デザイン、フレーム枠又は画像エフェクトを用いて、画像データを表示する。
また、画像提供部３６８は、関連付け部３６２により関連付けられた気分情報に基づき、画像データに対する画像処理を変更してもよい。
本例の画像提供部３６８は、画像管理サーバ４より気分情報と画像データを受信し、データベースに登録された気分情報に基づき、背景デザインやフレーム枠を写真と自動的に合成して、表示する。
【００３４】
図４は、画像管理サーバ４のハードウェア構成を例示する図である。
図４に例示するように、画像管理サーバ４は、ＣＰＵ４００、メモリ４０２、Ｈａｒｄ  Ｄｉｓｋ  Ｄｒｉｖｅ４０４（ＨＤＤ４０４）、ネットワークインタフェース４０６（ネットワークＩＦ４０６）、表示装置４０８、及び入力装置４１０を有し、これらの構成はバス４１２を介して互いに接続している。
ＣＰＵ４００は、例えば、中央演算装置である。
メモリ４０２は、例えば、揮発性メモリであり、主記憶装置として機能する。
ＨＤＤ４０４は、例えば、ハードディスクドライブ装置であり、不揮発性の記録装置としてコンピュータプログラムやその他のデータファイルを格納する。
ネットワークＩＦ４０６は、有線又は無線で通信するためのインタフェースであり、インターネットを介した撮影装置３との通信を実現する。
表示装置４０８は、例えば、液晶ディスプレイである。
入力装置４１０は、例えば、キーボード及びマウスである。
【００３５】
図５は、画像管理サーバ４の機能構成を例示する図である。
図５に例示するように、本例の画像管理サーバ４には、画像管理プログラム５０がインストールされると共に、画像管理データベース６００（画像管理ＤＢ６００）、及び情報処理データベース６１０（情報処理ＤＢ６１０）により構成される。
画像管理プログラム５０は、画像格納部５００、画像提供部５１０、及びアルバム提供部５２０を有する。
なお、画像管理プログラム５０の一部又は全部は、ＡＳＩＣなどのハードウェアにより実現されてもよい。
【００３６】
画像管理プログラム５０において、画像格納部５００は、撮影装置３に撮影された画像データを、関連付け部３６２により関連付けられた気分情報に関連付けて格納する。
本例の画像格納部５００は、画像データを画像管理ＤＢ６００に格納し、気分情報、付加情報、及び関連付け情報を情報管理ＤＢ６１０に格納する。なお、画像データ、気分情報、付加情報、及び関連付け情報をまとめて画像管理ＤＢ６００に格納してもよい。
【００３７】
画像提供部５１０は、撮影装置３の要求に応じて、撮影された画像データと、この画像データに関連付けられた気分情報とを関連付けた状態で提供する。
本例の画像提供部５１０は、スマートフォン３の要求に応じて、画像データ、気分情報、付加情報、及び関連付け情報をスマートフォン３に提供する。
【００３８】
アルバム提供部５２０は、撮影装置９４０の要求に応じて、アルバムを作成、編集、及び提供する。
例えば、編集時に、アルバム提供部５２０は、スマートフォン３の要求に応じて、気分情報、及び付加情報を編集する。
【００３９】
図６は、気分情報と撮影された画像データとの関連付けを模式的に表す図である。
図６に例示するように、本実施形態において、スマートフォン３は、タッチパネル３０８、プレビュー表示エリア９２０、及び、シャッターアイコン９００を有する。スマートフォン３は、撮影モード、傾き等により表示されるシャッターアイコン９００の種類、表示順序を変更する。シャッターアイコン９００は、スマートフォン３を用いて画像を撮影する際に、タッチパネル３０８に表示され、ユーザの気分の候補を表わし、画像を撮影させる。
本例において、スマートフォン３は、バックカメラ撮影モードで、風景を撮影する。このとき、スマートフォン３は、被写体に対する撮影者の心情を表示するシャッターアイコン９００を表示する。
ユーザの哀しみを表わすシャッターアイコン９００の選択により、スマートフォン３は、画像データに哀しみを表わす画像要素を付加し、気分を表わす画像要素が付加された画像データ９３０を生成する。また、ユーザの喜びの気分を表わすシャッターアイコン９００の選択により、スマートフォン３は、画像データに喜びを表わす画像要素を付加し、気分を表わす画像要素が付加された画像データ９３０を生成する。
また、本実施形態では、ユーザによる気分情報に関連付けられた画像データの閲覧に応じて、画像管理サーバ４に格納された気分情報に関連付けられた画像データを、スマートフォン３に転送して、閲覧する。
なお、本実施形態では、気分情報に関連付けられた画像データを画像管理サーバ４に格納しているが、気分情報に関連付けられた画像データを撮影装置３に格納してもよい。
このように、画像管理システム１において、スマートフォン３に表示されるユーザの気分画像により、ユーザは、楽しみながら気分を選択して撮影ができ、また、気分情報に関連付けられた画像データを閲覧することで、その時の記憶を思い出すことができる。また、画像管理システム１において、ユーザは、様々な感情のうち、ユーザに適した感情を選択できる。
【００４０】
図７は、撮影モードによるシャッターアイコン９００の表示順序の変更を例示する図である。
図７に例示するように、フロントカメラ撮影モードが選択された場合、撮影者自身に対する心情に関連する「喜」、「怒」、「哀」、「楽」、等を表わすシャッターアイコン９００が、タッチパネル３０８に表示される。また、バックカメラ撮影モードが選択された場合には、被写体に対する撮影者の心情に関連する「快」、「好」、「嫌」、「怒」、「恐」、「笑」、「驚」、「珍」、等を表わすシャッターアイコン９００が、タッチパネル３０８に表示される。関連付け部３６２は、ユーザによるシャッターアイコン９００の選択に応じて、気分情報と、画像データとを関連付ける。
【００４１】
図８は、撮影時の環境等によるシャッターアイコン９００の表示順序の変更を例示する図である。
図８に例示するように、撮影場所の位置データ（郊外、市街地）、撮影時の天気（晴れ、雨）、撮影モード（フロントカメラ撮影モード、バックカメラ撮影モード）に応じて、シャッターアイコン９００の表示順序を変更する。関連付け部３６２は、ユーザによるシャッターアイコン９００の選択に応じて、気分情報と、画像データが関連付ける。
【００４２】
なお、撮影された画像データと、関連付けられた気分情報とを関連付ける時に、画像データに関連付けられた気分情報に応じて、この画像データに付加する付加情報の種類を関連付けてもよい。
【００４３】
図９は、シャッターアイコン９００による付加情報の変更を例示する図である。
図９に例示するように、選択されたシャッターアイコン９００に応じて、付加する気温情報の精度、桁数、及び天気の表現方法を変更する。
【００４４】
図１０は、画像を撮影する画像撮影処理（Ｓ１０）のフローチャートである。
図１０に例示するように、ステップ１００（Ｓ１００）において、画像撮影プログラム３５０は、アプリ上でカメラが起動するまで待機し（Ｓ１００：Ｎｏ）、アプリ上でカメラが起動すると、Ｓ１０５の処理に移行する（Ｓ１００：Ｙｅｓ）。
【００４５】
ステップ１０５（Ｓ１０５）において、気分候補決定部３５４は、ユーザにより選択された撮影モード、センサの出力値、撮影時の環境（天気、時間帯、日付、季節等）等の条件を収集する。
【００４６】
ステップ１１０（Ｓ１１０）において、気分候補決定部３５４は、収集された条件に基づいて、ユーザのシャッターアイコン９００の候補とその優先順位を決定する。
【００４７】
ステップ１１５（Ｓ１１５）において、表示部３５６は、気分候補決定部３５４により決定されたシャッターアイコン９００のうち、優先順位の高い、気分画像が異なる複数のシャッターアイコン９００を表示する。
ステップ１２０（Ｓ１２０）において、選択受付部３５８は、シャッター操作を検知しない場合に、Ｓ１２５の処理に移行し（Ｓ１２０：Ｎｏ）、シャッター操作を検知した場合に、Ｓ１３０の処理に移行する（Ｓ１２０：Ｙｅｓ）。選択受付部３５８は、シャッター操作を検知した場合に、表示部３５６により表示された画像要素の中から、ユーザの選択操作を受け付ける。
【００４８】
ステップ１２５（Ｓ１２５）において、選択受付部３５８は、スワイプ操作がない場合に、Ｓ１２０の処理に移行し（Ｓ１２５：Ｎｏ）、スワイプ操作がある場合に、ステップ１１５の処理に移行する（Ｓ１２５：Ｙｅｓ）。
スワイプ操作があるときは、表示部３５６は、既に表示したシャッターアイコン９００よりも優先順位の低いシャッターアイコン９００を表示する。
【００４９】
ステップ１３０（Ｓ１３０）において、撮影指示部３６０は、選択受付部３５８によるシャッターアイコン９００の検知に従って、画像データ撮影を指示する。
ステップ１３５（Ｓ１３５）において、関連付け部３６２は、撮影指示部３６０が画像を撮影させたタイミングを基準として既定の期間内に、選択受付部３５８により画像要素の選択操作を受け付けた場合に、選択された画像要素に関連付けられた気分情報と、撮影部３５２により撮影された画像データとを互いに関連付ける。また、関連付け部３６２は、画像データと気分情報との関連付けを示す関連付け情報を生成する。
【００５０】
ステップ１４０（Ｓ１４０）において、付加情報選択部３６４は、関連付け部３６２により関連付けられた気分情報に応じて、この画像データに付加する付加情報（気温、天気、位置など）の種類を選択する。また、付加情報選択部３６４は、画像データと気分情報と付加情報との関連付けを示す関連付け情報を生成する。
【００５１】
ステップ１４５（Ｓ１４５）において、登録部３６６は、画像データと、気分情報と、付加情報と、関連付け情報とを画像管理サーバ４に転送し、画像管理ＤＢ６００、及び、情報管理ＤＢ６１０に登録する。
【００５２】
これにより、画像データを後々見返した際に、撮影時の心情を思い起こすことが出来る。
【００５３】
図１１は、画像を格納する画像格納処理（Ｓ２０）のフローチャートである。
図１１に例示するように、ステップ２００（Ｓ２００）において、画像管理サーバ４は、画像撮影３から画像データを受信するまで待機し（Ｓ２００：Ｎｏ）、画像データを受信すると、Ｓ２０５の処理に移行する（Ｓ２００：Ｙｅｓ）。
【００５４】
ステップ２０５（Ｓ２０５）において、画像格納部５００は、気分情報がない場合に、Ｓ２２５の処理に移行し（Ｓ２０５：Ｎｏ）、気分情報がある場合に、Ｓ２１０の処理に移行する（Ｓ２０５：Ｙｅｓ）。
【００５５】
ステップ２１０（Ｓ２１０）において、画像格納部５００は、気分情報と、画像データと気分情報との関連付けを示す関連付け情報とを、情報管理ＤＢ６１０に格納する。
【００５６】
ステップ２１５（Ｓ２１５）において、画像格納部５００は、付加情報がない場合に、Ｓ２２５の処理に移行し（Ｓ２１５：Ｎｏ）、付加情報がある場合に、Ｓ２２０の処理に移行する（Ｓ２１５：Ｙｅｓ）。
【００５７】
ステップ２２０（Ｓ２２０）において、画像格納部５００は、付加情報と、画像データと気分情報と付加情報との関連付けを示す関連付け情報を、情報管理ＤＢ６１０に格納する。
【００５８】
ステップ２２５（Ｓ２２５）において、画像格納部５００は、画像管理ＤＢ６００に、撮影された画像データを格納する。
【００５９】
図１２は、気分情報と関連付けられた画像データを表示する画像表示処理（Ｓ３０）のフローチャートである。
図１２に例示するように、ステップ３００（Ｓ３００）において、撮影装置３は、画像管理サーバ４に登録された気分情報と関連付けられた画像データを撮影装置３へ送信するように要求する。
【００６０】
ステップ３０５（Ｓ３０５）において、画像撮影プログラム３５０は、画像管理サーバ４から、気分情報と関連付けられた画像データを受信するまで待機し（Ｓ３０５：Ｎｏ）、画像データを受信すると、Ｓ３１０の処理に移行する（Ｓ３０５：Ｙｅｓ）。
【００６１】
ステップ３１０（Ｓ３１０）において、画像提供部３６８は、気分情報と関連付けられた画像データを閲覧する場合に、関連付けられた気分情報に対応する背景デザイン、フレーム枠又は画像エフェクトを用いて、画像データを表示する。なお、画像提供部３６８は、付加情報がある場合、画像データと共に、付加情報を表示してもよい。
【００６２】
図１３は、撮影装置３の要求に応じて画像を提供する画像提供処理（Ｓ４０）のフローチャートである。
図１３に例示するように、ステップ４００（Ｓ４００）において、画像管理プログラム５０は、撮影装置３からの画像要求を受け付ける。
【００６３】
ステップ４０５（Ｓ４０５）において、画像提供部５１０は、画像データと気分情報とが関連付けられていない場合に、Ｓ４２５の処理に移行し（Ｓ４０５：Ｎｏ）、画像データと気分情報とが関連付けられている場合に、Ｓ４１０の処理に移行する（Ｓ４０５：Ｙｅｓ）。
【００６４】
ステップ４１０（Ｓ４１０）において、画像提供部５１０は、気分情報と、画像データと気分情報との関連付けを示す関連付け情報とを、転送データに付加する。
【００６５】
ステップ４１５（Ｓ４１５）において、画像提供部５１０は、画像データと気分情報と付加情報とが関連付けられていない場合に、Ｓ４２５の処理に移行し（Ｓ４１５：Ｎｏ）、画像データと気分情報と付加情報とが関連付けられている場合に、Ｓ４２０の処理に移行する（Ｓ４１５：Ｙｅｓ）。
【００６６】
ステップ４２０（Ｓ４２０）において、画像提供部５１０は、付加情報と、画像データと気分情報と付加情報との関連付けを示す関連付け情報とを、転送データに付加する。
【００６７】
ステップ４２５（Ｓ４２５）において、画像提供部５１０は、画像データと、気分情報と、付加情報と、関連付け情報とを撮影装置３に転送する。
【００６８】
以上説明したように、本実施形態の撮影装置３によれば、言語化しにくく、移ろいやすい撮影者の気分をより適切に抽出し、撮影画像に関連付けることができる。
【符号の説明】
【００６９】
１…画像管理システム
２…固定端末２
３…撮影装置
４…画像管理サーバ
５０…画像管理プログラム
３００…ＣＰＵ
３０２…揮発性メモリ
３０４…不揮発性メモリ
３０６…ネットワークＩＦ
３０８…タッチパネル
３１０…フロントカメラ
３１１…バックカメラ
３１２…位置特定装置
３１４…音声入出力装置
３１６…バス
３５０…画像撮影プログラム
３５２…撮影部
３５４…気分候補決定部
３５６…表示部
３５８…選択受付部
３６０…撮影指示部
３６２…関連付け部
３６４…付加情報選択部
３６６…登録部
３６８…画像提供部
４００…ＣＰＵ
４０２…メモリ
４０４…ＨＤＤ
４０６…ネットワークＩＦ
４０８…表示装置
４１０…入力装置
４１２…バス
５００…画像格納部
５１０…画像提供部
５２０…アルバム提供部
６００…画像管理データベース
６１０…情報管理データベース
９００…シャッターアイコン
９２０…プレビュー表示エリア
９３０…気分を表わす画像要素が付加された画像データ
【図１】
2017092528.tif 000003
【図２】
2017092528.tif 000004
【図３】
2017092528.tif 000005
【図４】
2017092528.tif 000006
【図５】
2017092528.tif 000007
【図６】
2017092528.tif 000008
【図７】
2017092528.tif 000009
【図８】
2017092528.tif 000010
【図９】
2017092528.tif 000011
【図１０】
2017092528.tif 000012
【図１１】
2017092528.tif 000013
【図１２】
2017092528.tif 000014
【図１３】
2017092528.tif 000015